(57)【要約】【課題】従来の草刈り鎌や草取り器は重い上操作も難しいので、立ち姿勢のまま雑草を刈り取ったり引き抜いて手軽に雑草を処理できる雑草除去具を提供する。【解決手段】手に持って立った姿勢で地面に届く長さの取っ手棒の下部に、一方の固定刃は前記取っ手棒に固定し、他方の可動刃は開閉自在とする鋏体を取り付けてなる前記取っ手棒の上部を、略直角に折り曲げて成る部分をグリップとし、該グリップの根元部に支点軸をもって取り付けたレバーと前記可動刃とを、コイルバネを可動刃側に介在してワイヤーで連結するとともに、前記固定刃の下部に円弧状の滑り板を取り付けてなる構成を特徴とする簡易雑草除去具。【選択図】図１
0003150780.tif 000002
【実用新案登録請求の範囲】
【請求項１】
立ったままの姿勢で雑草を刈り取ったり根元から引き抜ける除去具であって、手に持って立った姿勢で地面に届く長さの取っ手棒の下部に、一方の固定刃は前記取っ手棒に固定し、他方の可動刃は開閉自在とする鋏体を取り付けてなる前記取っ手棒の上部を、略直角に折り曲げて成る部分をグリップとし、該グリップの根元部に支点軸をもって取り付けたレバーと前記可動刃とを、コイルバネを可動刃側に介在してワイヤーで連結するとともに、前記固定刃の下部に円弧状の滑り板を取り付けてなる構成を特徴とする簡易雑草除去具。
【請求項２】
前記するワイヤーが、取っ手棒の中を通って連結する請求項１に記載する簡易雑草除去具。
【請求項３】
前記する鋏体が、固定刃と可動刃の先端内側を切り欠いて成る挟み部を形成した請求項１又は請求項２に記載する簡易雑草除去具。
【考案の詳細な説明】
【技術分野】
【０００１】  本発明は、家庭の庭や周囲又は道路の端など比較的狭い範囲の雑草を、片手でも軽く、且つ、立つたままの姿勢で草の根元から刈り取ったり、根っこからを引き抜いて処理できる雑草除去具に関する。
【背景技術】
【０００２】  従来、運搬時にかさばることなく、かつ、商品展示した際に不用意に鋏刃体に当たる危険性をなくすことができる草刈鋏の技術がある。（例えば、特許文献１参照）【０００３】  また根強い雑草であっても、根元から抜き取つて除去できる草取り器具の技術も提供されている（例えば、特許文献２参照）
【考案の開示】
【特許文献１】特開平１１−３０８９２７
【特許文献２】特開平２００２−２０４４９６
【発明が解決しようとする課題】
【０００４】  特開平１１−３０８９２７における技術は、一定の長さの二本の柄部が交差した下端部に鋏刃体を設けて成る下面後部に車輪を設けることで、立ち姿勢のまま地面を滑らせるようにして草を刈り取れる草刈鋏である。しかしこれは単なる鋏に、立ったまま握れる長さの二本の柄部を鋏刃体に取り付けただけである。また挟刃体後部に車輪を付けて地面を滑らせながら刈り取れる便利さはあるが、車輪を付けると重くなり、全体的に構成は複雑でコスト高となるなどの不便がある。
【０００５】  特開平２００２−２０４４９６に開示される技術は、一定の長さの筒状の支持シャフトの上部にグリップを設け、その下端部には、操作レバーに連動して草を挟める挟持部を作動させることで、立ったままでも草を挟んで引き抜いて除去できる草取り器具であるが、構造は複雑で重く、かつ、操作も面倒で高齢者や女性では扱いにくく、コスト高になる草取り器具である。
【課題を解決するための手段】
【０００６】  本発明は前記するような従来の不便や欠点を解消するために、請求項１においては、手に持った姿勢で地面に届く長さの取っ手棒の下部に、一方の固定刃は前記取っ手棒に固定し、他方の可動刃は開閉自在とする鋏体を取り付けてなる前記取っ手棒の上部を、略直角に折り曲げた部分をグリップとし、そのグリップの根元部に支点軸をもって取り付けたレバーと前記可動刃とを、可動刃側にコイルバネを介在したワイヤーで連結するとともに、前記固定刃の下部に円弧状の滑り板を取り付けることにより、立った姿勢のまま雑草を刈り取れる簡易雑草除去具とする。
【０００７】  請求項２においては、前記するワイヤーを取っ手棒の中を通して連結することで、ワイヤーに草や衣服が引っ掛ったりせず、外観的にもスッキリと見栄えのよいものとする。
【０００８】  請求項３においては、前記する鋏体が、固定刃と可動刃の先端内側を切り欠いて成る挟み部を形成することにより、茎の太い雑草の根元を挟んだり、根元に差し込んでからテコの作用で雑草を引き抜ける簡易雑草除去具とする。
【発明の効果】
【０００９】  本発明による雑草除去具は、立ち姿勢で扱えるうえ、レバーを握るだけで鋏を可動させて雑草を刈り取れるとともに、その鋏体の先端部には挟み部を備えているので、必要なら茎の太い雑草の茎を挟んだ状態で取っ手棒を下に押し下げると、鋏体下部に位置した滑り突部を支点としてテコの作用を得て、女性や高齢者でも軽い力で根強い雑草を根元から引き抜いて処分することができる。
【００１０】  さらに鋏体下部に備えた滑り突部は、雑草除去具の鋏体を地面より数センチ持ち上げる状態を維持するので、そのまま滑らすとあたかも車輪のように軽く移動させならが雑草を刈ったり引き抜けるが、単に金属の板を曲げただけであるので車輪より軽くコストも安い。
【００１１】  加えて、本発明による取っ手棒は軽いパイプであり、かつ、鋏体６部もシンプルで扱い易いので、雑草刈り取り以外に、例えば、高枝切り鋏としても使える高機能型の雑草除去具を提供する。
【考案を実施するための最良の形態】
【００１２】  本発明による雑草除去具の実施形態を図１に示す一部を欠いた斜視図と図２の鋏体部を示す背面拡大図、図３の草の茎を挟んで引き抜く状態を示す参考図で説明する。【００１３】  本発明による雑草除去具１は、手に持って立った姿勢のまま地面に届く長さで、かつ、内部が空洞のパイプで成る取っ手棒２の下部に、刃先の内側を一定長欠いて成る挟み部３，３を有する固定刃４と可動刃５の二枚で成る鋏体６の一方、固定刃４の後部を曲げた端部を前記取っ手棒２に固定し、他方の可動刃５は支点軸７をもって開閉自在とする後部を取っ手棒２に並行に折り曲げる。【００１４】  次に、取っ手棒２上部は、手で握れる長さ程度を略水平に折り曲げた部分をグリップ８とし、そのグリップ８の根元部位に支点軸７で可動するレバー９を取り付けるとともに、前記鋏体６寄りとレバー９寄りの取っ手棒２に、それぞれ二つの通し穴１０，１０を設けた上で、前記可動刃５側にコイルバネ１１を介在して、可動刃５，５端部とレバー９の根元部位をワイヤー１２で連結するとともに、前記固定刃４の後部下面に、金属板を円弧状に曲げたスベリ突部１３を取り付けて成る雑草除去具１を構成する。【００１５】  尚、前記する鋏体６は、少し前の地面を見ながら扱えるように、取っ手棒２に対して約１００度前後の角度で取り付けるものとする。【００１６】  本発明による雑草除去具１は以上のように形成しているので、立った姿勢でグリップ８を握ると、グリップ８に連結したワイヤー１２は取っ手棒２下部に位置する可動刃５を引き寄せて鋏体６を閉じて草を刈り取れ、グリップ８から手を緩めるとコイルバネ１１の力で戻って鋏体６は開くとともに、固定刃４の下面に設けたスベリ突起１３により車輪のように移動させて順次雑草を刈り取れる。【００１７】  さらに、は鋏体６の二枚の刃の内側先端は、少し欠いた挟み部３，３を形成するので、茎の太い雑草を根っこから引き抜いて除去する場合は、図３に示すように挟み部３，３で茎の根元を挟んだ状態で取って棒２を地面（矢印）の方向に押し下げると、固定刃４の下部スベリ突部１３が支点となって、根が太い雑草でもテコの作用で簡単に引き抜ける。また必要なら鋏体６を閉じたまま草の根元に差し込んでからテコの要領で引き抜くことも容易な雑草除去具となる。
【図面の簡単な説明】
【００１８】
【図１】本発明による雑草除去具の実施形態を示す一部省略した斜視図である。
【図２】本発明による雑草除去具の鋏体部を示す拡大背面図である。
【図３】本発明の雑草除去具の挟み部で草の茎を挟んで引き抜く状態を示す参考図である。
【符号の説明】
【００１９】１  雑草除去具
２  取っ手棒
３  挟み部
４  固定刃
５  可動刃
６  鋏体
７  支点軸
８  グリップ
９  レバー
１０  通し穴
１１  コイルバネ
１２  ワイヤー
１３  スベリ突部
【図１】
0003150780.tif 000003
【図２】
0003150780.tif 000004
【図３】
0003150780.tif 000005